(57)【要約】      （修正有）【課題】長いブラケットをルーバーの支持棒に確実に取付るための容易に使用することができ且つ／又は製造コストが安い代替え的な方法を提供する。【解決手段】ビルの窓を通る光又は通気を制御するためのルーバー。当該ルーバーＬは、細長いほぼ矩形のパネル１と、細長い長手方向に延びている支持棒３と、当該支持棒に沿って隔置され且つ前記パネルの対向した側縁部を当該支持棒の上方に保持している横方向に延びているブラケット４と、を含んでいる。ブラケット４は、ルーバーＬの対向する側面に設けられた一対の上方及び下方のキー溝構造Ｋ１，Ｋ２によって、支持棒３上に保持されている。上方のキー溝構造Ｋ１は互いに係合するボール及びソケット構造であり、下方のキー溝構造Ｋ２はスナップ嵌合構造である。【選択図】図１
2008157019.tif 000002
【特許請求の範囲】
【請求項１】
ルーバーであり、
対向した側縁部を有する細長いほぼ矩形のパネルと、
細長い長手方向に延びている支持棒と、
前記支持棒に沿って隔置され且つ前記パネルの対向した側縁部を当該支持棒の上に保持している少なくとも２つの横方向に延びているブラケットと、を含み、
前記ブラケットの各々が、当該ルーバーの対向する側縁部上に設けられた一対の上方及び下方のキー溝構造によって前記支持棒上に保持されていることを特徴とするルーバー。
【請求項２】
請求項１に記載のルーバーであり、
前記上方のキー溝構造の各々が、当該ルーバーの一方の側部に設けられたブラケットの上方横方向部分から、当該ルーバーの同じ側部上の前記支持棒の隣接する側の上方部分に設けられた係合ソケットに向かって横方向に延びているリブを含んでいる、ルーバー。
【請求項３】
請求項２に記載のルーバーであり、
前記リブが、全体としては丸いが一部分が円の弦を形成しており且つ平らである垂直断面を有している、ルーバー。
【請求項４】
請求項３に記載のルーバーであり、
前記リブと前記ソケットとが長手方向に細長いルーバー。
【請求項５】
請求項３又は４に記載のルーバーであり、
前記ブラケットが、前記リブのほぼ平らな部分が当該リブの底部に位置するように、前記支持棒から上方へ離れる方向に向けることができるようになされている、ルーバー。
【請求項６】
請求項３乃至５のうちのいずれか一項に記載のルーバーであり、
前記ソケットが、当該リブの外側断面とほぼ同じ外周を有する垂直方向内側断面と、前記リブに隣接している横方向の穴とを有しており、当該横方向の穴は、前記リブの平らな部分が当該リブの底部に位置しているときには当該リブの横方向に延びている直径の垂直断面よりも大きいが、前記リブの平らな部分が前記リブの底部又はその近くにないときには前記リブの垂直断面よりも小さい垂直方向断面を有している、ルーバー。
【請求項７】
請求項３乃至６のうちのいずれか一項に記載のルーバーであり、
前記キー溝構造が、当該ルーバーの一方の側部に設けられたブラケットの下方部分から前記支持棒の底部に設けられた長手方向に延びている溝に向かって延びているフック部を含んでいる、ルーバー。
【請求項８】
請求項７に記載のルーバーであり、
前記フック部が垂直方向に延びている内側側面を有しており、当該フック部が前記溝内にスナップ嵌合されたときに、前記ブラケット及び前記フック部の内側側面と同じ側に設けられた溝の隣接する垂直方向に延びている側面と摩擦係合するようになされている、ルーバー。
【発明の詳細な説明】
【技術分野】
【０００１】
本発明は、ビルの窓のような建築物の開口部を通る光又は通気を制御するためのルーバーに関する。
【背景技術】
【０００２】
対向する第一及び第二の長手端縁部分を有する細長い矩形のパネルを備えているこのようなルーバーはＵＳ  １  ４０３  ０５４によって公知である。このルーバーは、前記パネルの長手方向に延びている細長い支持棒上に、当該支持棒の横方向に延びている２つの保持ブラケットによって支持されている。各ブラケットは、パネルの対向している長手方向端部の一方を容易に取り付け且つ保持することができる。
【０００３】
この公知のルーバーは、ルーバーのブラケットがパネルの対向する長手方向端部間で支持することができるパネルの大きさによって制限されるが、多くの用途において首尾良く使用されて来た。同じくＵＳ  １  ４０３  ０５４に示されている一連のルーバー及び中間フレーム部材によって、より大きな面積のパネルに広げることが必要とされて来ている。従って、パネルへの取り付けが簡単であるブラケットによって細長い支持棒上により大きなパネルを支持するという長い間望まれていた必要性がある。（特許文献１参照）
各ブラケットをより長くすることができるが、支持棒上により大きなパネルを保持するために支持棒上のキーに容易に係合してブラケット及び支持棒を一緒に確実に取り付けることができるフック部を有しているようなルーバーが、ＥＰ  １  ６９６  ０９７に記載されている。（特許文献２参照）
【特許文献１】ＵＳ  １  ４０３  ０５４公報
【特許文献２】ＥＰ  １  ６９６  ０９７公報
【発明の開示】
【発明が解決しようとする課題】
【０００４】
しかしながら、このようなより長いブラケットをルーバーの支持棒に確実に取り付けるためのより容易に使用することができ且つ／又は製造コストがより安い代替的な方法を提供することが求められている。
【課題を解決するための手段】
【０００５】
この目的を達成するために、本発明は、
対向した側縁部を有する細長いほぼ矩形のパネルと、
細長い長手方向に延びている支持棒と、
前記支持棒に沿って隔置され且つ前記パネルの対向した側縁部を当該支持棒の上に保持している少なくとも２つの横方向に延びているブラケットと、を含み、
前記ブラケットの各々が、当該ルーバーの対向する側縁部上に設けられた一対の上方及び下方のキー溝構造によって前記支持棒上に保持されていることを特徴とするルーバーを提供している。
【０００６】
前記上方のキー溝構造は、互いに係合するボール及びソケット構造であり、前記下方のキー溝構造は、スナップ嵌合構造であるのが有利である。
【発明の効果】
【０００７】
このルーバーは、容易に製造することができ且つビルの内部又は外部に容易に装備することができる。
【発明を実施するための最良の形態】
【０００８】
以下、本発明の一つの実施形態を添付図面を参考にして例示的に説明する。
図１及び２は、本発明のルーバーＬを示している。ルーバーＬの頂部は、細長いほぼ矩形のパネル１を保持しており、パネル１は、例えば図１及び２に示されているように、種々の方法で穴を開けることができる。ルーバーＬは、中心の細長い長手方向に延びている支持棒３と、当該支持棒３の対向する側面に設けられた少なくとも一対の横方向に延びているブラケット４とを備え、ブラケット４は、ルーバー上のパネル１を支持棒３の上方に保持している。各保持ブラケット４は、横方向に延びているブラケット部材４Ａと垂直方向に延びているブラケット部材４Ｂとを備え、これらのブラケット部材は、支持棒３と協働してブラケット４を支持棒３上に確実に保持し且つ支持棒の両側面上のブラケット間にパネル１を確実に保持する。横方向に延びているブラケット部材４Ａの各対の内側に曲げられた横方向自由端部５の外側面は、パネル１の内側に曲げられた横方向リム１１の内側面と緊密に係合し且つ支持する形状とされている。支持棒３の各長手方向端部には、（例えば、ＵＳ  １  ４０３  ０５４に記載されているように）ビルの支柱間にルーバーＬを枢動可能に支持するために、枢動ジャーナル（図示せず）を設けることができる。
【０００９】
図１及び２に示されているように、ルーバーＬは、その対向側面に少なくとも一対のキー溝構造Ｋ１を有している。図１及び３に示されているように、各上方キー溝Ｋ１は、互いに係合するボール及びソケット構造を備えている。この構造は、ルーバーの一方の側面に設けられたブラケット４の上方横部分からルーバーの同じ側面に設けられた支持棒３の隣接する横面の上方部分に設けられた長手方向のかみ合う細長いソケット７に向かって横方向に延びている長手方向の細長いリブ６を含んでいる。図３において最も良くわかるように、各リブ６は、ほぼ丸いが一部分が円の弦６Ａを形成しており且つ平らである垂直断面を有している。図３において最も良くわかるように、各ブラケット４は、ブラケット部材４Ａが支持棒３から幾分上方へ離れる方向に延び且つリブ６のほぼ平らな部分６Ａがそのリブの底部あたりに位置するように配向させることができる。図３から更にわかるように、各ソケット７は、その係合リブ６の外周とほぼ同じ内周を有する垂直断面を有している。しかしながら、リブ６に隣接している各ソケット７の横方向の穴７Ａの垂直断面は、リブの平らな部分６Ａが図３に示されているようにリブの底部にあるときは、その係合リブ６の横方向に延びている直径の垂直断面より大きいけれども、リブの平らな部分６Ａがリブの底部又はその近くにないときには、リブ６の垂直断面より小さい。結果として、各上方キー溝構造Ｋ１のリブ６は、リブの平らな部分６Ａが図３に示されているリブの底部にあるときに、横から（図３において左から右へ）ソケット７内へ挿入することができる。次いで、リブ６は、リブのブラケット４及びその横方向に延びているブラケット部材４Ａを支持棒３に向かって下方向（図３における矢印の方向）へ回転させることによりリブを回転させ、リブの平らな部分６Ａが最早リブ又はソケットの底部又はその近くに無い状態とすることによって、ソケット７内に確実に保持することができる。
【００１０】
同じく図１及び２に示されているように、ルーバーＬは、その対向する側面に少なくとも一対の下方キー溝構造Ｋ２を備えている。図４において最も良くわかるように、各下方キー溝構造Ｋ２はスナップ嵌合構造を有している。この構造は、ルーバーの対向する側面に設けられた各ブラケット４の下方のブラケット部材４Ｂの底部から支持棒３の底部に設けられた長手方向に延びている溝９へ向かって横方向に延びているフック部８を含んでいる。各フック部８の垂直方向に延びている内側側面８Ａは、フック部８が溝内へスナップ嵌合されたときに、溝のブラケット４及びフック部の内側側面８Ａと同じ側の溝９の隣接する垂直方向に延びている側面９Ａと摩擦係合するようになされている。フック部８は、フック部のブラケット４の下方ブラケット部材４Ｂの底部を溝９内へと上方へ付勢してフック部の内側側面８Ａが溝９の隣接する側面９Ａに沿って且つ当該側面９Ａを通り過ぎるまで上方へと移動させることによって、当該フック部の側面８Ａが支持棒の溝９の側面９Ａにぴったりと係合するように溝９内に容易にスナップ嵌合させることができる。各フック部８は、フック部のブラケット４のリブ６が、（フック部の横方向に延びているブラケット部材４Ａが幾分上方へと延びており、リブの平らな部分が当該リブの底部にある状態で）その隣接するソケット７内へと横方向から挿入され、次いで、リブのブラケット４及びその横方向に延びているブラケット部材４Ａが支持棒３に向かって下方へ回転されることによりリブを回転させてリブの平らな部分６Ａがもはやリブ又はソケットの底部又はその近くに無いようにした後においてのみ、溝９内へスナップ嵌合させることができる。
【００１１】
任意的には、各ブラケット４の各下方ブラケット部材４Ｂの底部に設けられたフック部８は更に、支持棒３の底部に固定される。このことは、好ましくは、図１及び２に示されているように、フック部内の垂直方向に延びている穴の中を上方へ延び且つ溝９の頂部に設けられたねじ穴（図示せず）と係合する１以上のねじ１０を設けることによって達成される。
【００１２】
ルーバーＬ及び当該ルーバーの頂面に保持されているパネル１は、アルミニウムのような金属シートによって作ることができるが、硬質プラスチックによって作ることもできる。ルーバーＬ及びパネル１の内側に曲げられた横方向リム５及び１１は、金属ストリップをロール成形することによって形成することができる。
【００１３】
本発明は、もちろん、上記の実施形態に限定されず、本発明の範囲から逸脱することなく且つ本発明の利点の全てを犠牲にすることなく、変更することができる。この点において、“左”、“右”、“長手方向”、“横方向”、“底部”、“頂部”、“内側”及び“外側”というような上記の説明における用語及び特許請求の範囲における用語は、ビルの窓のような建築物の開口部を通る光又は通気を制御するための本発明のルーバーの種々の部材間の関係を説明するための相対的な用語としてのみ使用した。
【図面の簡単な説明】
【００１４】
【図１】図１は、下方から見た本発明のルーバーの基部の分解破断斜視図であり、中心の長手方向に延びている支持棒の対向する側面上の一対のアームが、当該ルーバーの基部上に、矩形のシートの一部分を保持しており、前記シート部分が、空気及び光が容易に通過することができる丸い穴を有している。
【図２】図２は、図１の基本的なルーバー部分を３つ使用して形成されたルーバーの下方から見た斜視図であり、前記長手方向に延びている支持棒の対向する側面上のアームの対が３つ、ルーバー上のより大きな矩形シートを保持しており、当該大きな矩形シートは、空気及び光が通ることができる狭い穴が開けられたスリットを有している。
【図３】図３は、図１及び２のルーバーの上方キー溝構造のための互いに係合するボール及びソケット構造の図１において垂直方向に断面した拡大断面図である。
【図４】図４は、図１及び２のルーバーの底部キー溝構造のためのスナップ嵌合構造の図１において垂直方向に断面された拡大断面図である。
【符号の説明】
【００１５】
Ｌ    ルーバー
１    パネル
３    支持棒
４          ブラケット
４Ａ、４Ｂ  ブラケット部材
５    横方向リム
１１  横方向リム
Ｋ１，Ｋ２  キー溝構造
６    リブ
７    ソケット
７Ａ    穴
８    フック部
９    溝
【図１】
2008157019.tif 000003
【図２】
2008157019.tif 000004
【図３】
2008157019.tif 000005
【図４】
2008157019.tif 000006
【手続補正書】
【提出日】平成20年1月28日(2008.1.28)
【手続補正１】
【補正対象書類名】図面
【補正対象項目名】全図
【補正方法】変更
【補正の内容】
【図１】
2008157019.tif 000007
【図２】
2008157019.tif 000008
【図３】
2008157019.tif 000009
【図４】
2008157019.tif 000010